(57)【特許請求の範囲】
【請求項１】
張設した状態で張力によって剛性または準剛性を有する支持基体(1)と、該支持基体(1)の上に展げ設けられている柔軟性を有するシート状物またはネット状物(2)と、支持基体(1)をシート状物またはネット状物(2)で果実が懸垂できる高さに張設するための手段(3)と、を有しており、
上記支持基体(1)とシート状物またはネット状物(2)が協働して、該シート状物またはネット状物(2)の一部で果実を入れるポケット要素(P)を形成するようにしてあり、
上記支持基体(1)は、所要の広がりを有する上面に、区画してまたは所要の間隔で形成された、保持対象となる果実が通り抜けることができる大きさの複数の開口部(10)を有しており、
上記シート状物またはネット状物(2)は、規則的または不規則的な皺や襞などの弛み部分を形成して上記開口部(10)を含む支持基体(1)の上に展げ設けられており、
上記開口部(10)にシート状物またはネット状物(2)の上側から果実が入るに際して、シート状物またはネット状物(2)のうち果実を保持する部分は、弛み部分を延ばすようにして果実と共に下方に下がり、これによって支持基体(1)の開口部(10)の下方に、シート状物またはネット状物(2)の一部が懸垂されたポケット要素(P)を形成するようにして、果実が地面に落下することを防止したことを特徴とする、
果実落下防止装置。
【請求項２】
シート状物またはネット状物(2)は、支持基体(1)に適当な箇所で固定して取り付けてあることを特徴とする、
請求項１記載の果実落下防止装置。
【請求項３】
保持対象となる果実が通り抜けることができる大きさの複数の開口部(10)を有する支持基体(1)を果樹の着果部の下にシート状物またはネット状物(2)で果実が懸垂できる高さに張設し、シート状物またはネット状物(2)を、規則的または不規則的な皺や襞などの弛み部分を形成して上記開口部(10)を含む支持基体(1)の上に展げて設け、落下した果実を何れかの開口部(10)に落とし、シート状物またはネット状物(2)で形成されるポケット要素(P)に吊られた状態で収め、果実が地面に落下することを防止したことを特徴とする、
果実落下防止方法。
【発明の詳細な説明】
【０００１】
【発明の属する技術分野】
本発明は果実落下防止装置及び果実落下防止方法に関するものである。更に詳しくは、果実をポケット要素で独立して保持することができ、保持後に装置が動いても果実が衝突しにくく、果実が地面に落下して傷付くことがないように保持できる果実落下防止装置及び果実落下防止方法に関する。
【０００２】
【従来技術】
リンゴ等の果実が実り、収穫（摘果）がされる秋には、このような果物の産地においても、しばしば台風の影響を受ける。台風の風は、実って熟した果実を地面に落とし、傷付けてしまうので、果実は出荷できなくなってしまう。特に、台風が果物の収穫が始まる前に通過すると、その被害は甚大かつ深刻である。
また、リンゴ等の果実は、台風の影響がなくても、完熟して一定の時間が過ぎれば、ひとりでに地面に落ちてしまうものであり、収穫の時期を外して落としてしまうことによる損失も少なからずある。
【０００３】
上記したような問題に対処するために、台風の風の影響や、完熟することによって落下したリンゴ等の果実を傷が付かないようにして受け取ることができるようにし、落下した果実の出荷を可能にしたものが、従来より提案されている。
このような手段の一般的なものとして、例えば特開平１１−１６８９４８号公報に記載された「樹木用落下物受け集めネット」がある。
このネット（網）に、中央部に設けた穴に果樹を通して取り付け、全体を弛ませるようにし、四隅部を支柱に取り付けて使用するものである。これによれば、果樹から落下した果実を受けて、果実をネットの低くなったところに集めることができる。
【０００４】
【発明が解決しようとする課題】
しかしながら、上記した公報記載の果実落下防止のために使用する従来のネットには、次のような課題があった。
すなわち、果実がネットの傾斜した部分に落ちると、転がりながらより低い方へ勢いよく移動する。このため、すでにネットの低いところに止まっている果実に衝突して互いに傷が付いてしまうことがあった。更に、果実が保持された状態で風に吹かれて揺れると、果実が動いて互いに衝突してしまう等、落下した果実を傷を付けないで収穫するという十分な効果が得にくかった。
【０００５】
（本発明の目的）
本発明の目的は、落下した果実を受けたときに果実の移動を止めて保持し、更に保持した後で風に吹かれて揺れても果実同士が衝突しないようにして互いに傷付くことがないようにした、果実落下防止装置及び果実落下防止方法を提供することである。
【０００６】
【課題を解決するための手段】
上記課題を解決するために講じた本発明の手段は次のとおりである。
第１の発明にあっては、
張設した状態で張力によって剛性または準剛性を有する支持基体と、該支持基体の上に展げ設けられている柔軟性を有するシート状物またはネット状物と、支持基体をシート状物またはネット状物で果実が懸垂できる高さに張設するための手段と、を有しており、
上記支持基体とシート状物またはネット状物が協働して、該シート状物またはネット状物の一部で果実を入れるポケット要素を形成するようにしてあり、
上記支持基体は、所要の広がりを有する上面に、区画してまたは所要の間隔で形成された、保持対象となる果実が通り抜けることができる大きさの複数の開口部を有しており、
上記シート状物またはネット状物は、規則的または不規則的な皺や襞などの弛み部分を形成して上記開口部を含む支持基体の上に展げ設けられており、
上記開口部にシート状物またはネット状物の上側から果実が入るに際して、シート状物またはネット状物のうち果実を保持する部分は、弛み部分を延ばすようにして果実と共に下方に下がり、これによって支持基体の開口部の下方に、シート状物またはネット状物の一部が懸垂されたポケット要素を形成するようにして、果実が地面に落下することを防止したことを特徴とする、
果実落下防止装置である。
【０００７】
第２の発明にあっては、
シート状物またはネット状物は、支持基体に適当な箇所で固定して取り付けてあることを特徴とする、
第１の発明に係る果実落下防止装置である。
【０００８】
第３の発明にあっては、
保持対象となる果実が通り抜けることができる大きさの複数の開口部を有する支持基体を果樹の着果部の下にシート状物またはネット状物で果実が懸垂できる高さに張設し、シート状物またはネット状物を、規則的または不規則な皺や襞などの弛み部分を形成して上記開口部を含む支持基体の上に展げて設け、落下した果実を何れかの開口部に落とし、シート状物またはネット状物で形成されるポケット要素に吊られた状態で収め、果実が地面に落下することを防止したことを特徴とする、
果実落下防止方法である。
【０００９】
支持基体は、本質的に剛性または準剛性を有するが、使用時にこの性状を有すれば、収納時には柔軟性を有していてもよい。
また、支持基体は、物品を傷付けにくいようにするために、柔軟性や弾性あるいは変形性を有するもの、または材料（素材）を採用してもよい。なお、支持基体を取り付ける部分にゴム紐等の弾性体やバネ等の弾性体を介在させて支えるようにすれば、傷付けにくいようにする効果を更に向上させることが期待できる。
【００１０】
区画部または開口部を有する支持基体としては、網体（ネット）の他、例えば本質的に剛性または準剛性を有する材料（例えば段ボール、プラスチック等）で形成された板体に複数または多数の孔または凹部を設けたものがあげられるが、これらに限定されるものではない。
【００１１】
シートの用語は厳密なものではなく、フィルムや不織布、織布、網布、紙等、シート状のもの等も含む概念として使用している。
シート状物またはネット状物に持たせてある弛みの量は、保持対象となる物品の種類や使用環境、使用用途によって適宜設定され、限定されるものではない。
例えば、物品を吊り下げて保持できれば、物品が孔、凹部、網目等の開口部にその全体が落とし込まれる弛み量であってもよいし、物品の一部が落とし込まれる弛み量であってもよい。
【００１２】
（作用）
本発明に係る物入れ装置は次のように作用する。
物入れ装置は、支持基体の上部に弛みをもって設けられ、保持対象となる物品を支持基体の開口部からシート状物またはネット状物によって懸垂してポケット要素（ポケット状になったところ）で保持できるようにしてあるので、物品を固定するのではなく揺れ動く状態で保持できる。
【００１３】
これによると、ある程度の衝撃等は物品が揺れ動くことによって吸収できるので、物入れ装置に緩衝部材や特別な緩衝装置を設ける必要はなく、物入れ装置を嵩張らず簡単な構造にすることが可能になる。また、物品を保持した状態で装置が揺れたり衝撃で動いたりしても、物品はそれぞれ独立して保持されており、しかも吊り下げられた物品はおおむね同じ方向に揺れ動き、揺れ動く量もシート状物やネット状物によって引っ張られて制約されるので、衝突によって互いに傷付くことを防止できる。
【００１４】
本発明に係る果実落下防止装置として用いられる物入れ装置は、次のように作用する。
物入れ装置は、果樹のうち果実が着果している部分の下方に位置させて支柱等により取り付けておく。台風の風の影響や果実が完熟したことにより果実が着果部から落下すると、果実はシート状物やネット状物を間に介在させて支持基体に当たり、支持基体の開口部以外の部分に誘導されて、何れかの開口部に落ちる。
このとき、果実は、その重さによって開口部にシート状物やネット状物を押し込むようにして自身も落ちる。なお、果実は支持基体に当たらずに直接開口部に入ることもある。
【００１５】
これにより、果実は何れかの開口部の下方に形成されたポケット要素で吊り下げられた状態で収まって移動が止まるので、他の果実に衝突して傷が付いてしまうことを防止できる。
また、果実を保持した後で物入れ装置が風や衝撃で揺れても、果実はそれぞれ独立して保持されており、しかも吊り下げられた果実はおおむね同じ方向に揺れ動き、揺れ動く量もシート状物やネット状物によって引っ張られて制約されるので、衝突によって互いに傷付くことを防止できる。
【００１６】
【発明の実施の形態】
本発明を図面に示した実施の形態に基づき更に詳細に説明する。
図１は本発明に係る果実落下防止装置の実施の形態を示す斜視説明図、
図２は図１に示す果実落下防止装置を構成している支持基体と網状体の斜視説明図、
図３は図１に示す果実落下防止装置の網状体で形成されているポケット部に果実が収まっている状態を示す側面視説明図である。
【００１７】
物入れ装置である果実落下防止装置Ａは、二枚の物入れ装置Ｎ１と、物入れ装置Ｎ１を果樹の着果部の下に張設するための四本の支柱３を備えている。
物入れ装置Ｎ１は、ネット（網）である支持基体１と受けネット２を備えている。支持基体１と受けネット２は、耐候性にすぐれた合成繊維でつくられている。
【００１８】
支持基体１の全体を広げた外形の形状は長方形状であり、多数設けられている開口部１０の大きさは一辺が約２０ｃｍであり、例えばリンゴ等、保持対象となる果実が通り抜けることができる大きさである。
なお、支持基体１の外形の形状や大きさ、網目である開口部１０の大きさ等は特に限定されるものではなく、果実の種類や果樹園の大きさ等によって適宜設定されるものである。また、支持基体１は、後述するように、果樹の下に張設した状態では張力によって剛性または準剛性を有するが、通常状態では柔軟性がある。
【００１９】
受けネット２は、果実を開口部１０から吊り下げて保持できるだけの弛み（規則的または不規則な皺や襞）を持たせた状態で支持基体１の上に載せて広げ（展げ）重ねられている。受けネット２は、支持基体１に適当な箇所（例えば図３で示す程度の長さで物品を吊り下げて保持できる弛みを持たせることができる箇所）で紐２１で括りその部分で固定して取り付けてある。なお、この取付（固定）構造は特に限定するものではなく、公知各手段が採用できる。
受けネット２の全体を広げた外形の形状は長方形状であり、弛ませた状態で支持基体１全体をカバーできるように、支持基体１よりやや大きく形成されている。
また、受けネット２の網目２０はきめ細かく、保持対象となる果実が通り抜けることができない。
【００２０】
支持基体１と受けネット２を備えている二枚の物入れ装置Ｎ１は、図１に示すように、果樹Ｔ（例えばリンゴの木）を挟むように、かつ着果部の下側に位置するように張設される。
各物入れ装置Ｎ１の外側二箇所の角部は、支柱３の上部に取り付けてあり、内側の端辺部は、紐１１によって適当な箇所で括られて接合されている。
【００２１】
（作用）
本実施の形態に係る果実落下防止装置Ａの作用を説明する。
物入れ装置Ｎ１は、図１に示すように果樹Ｔのうち果実４が着果している部分の下方に位置させて取り付けておく。
そして、台風の風の影響や果実４が完熟したことにより着果部から落下すると、果実４は受けネット２を介在させて支持基体１に当たり、支持基体１の開口部１０以外の部分に誘導されて、何れかの開口部１０に落ちる。
このとき、果実４は、その重さによって開口部１０に受けネット２の一部を押し込むようにして自身も開口部１０に落ち、受けネット２は弛みをつくっている皺や襞をのばすようにして開口部１０の下方に吊り下げられ、ポケット要素であるポケット部Ｐが形成される。
【００２２】
これにより、果実４は図３に示すように、何れかの開口部１０の下方に受けネット２で形成されたポケット部Ｐに吊られた状態で収まり、移動が止まる。また、受けネット２は支持基体１に紐２１により固定されているので、開口部１０からポケット部Ｐが必要以上に長く垂れ下がったり地面に届くように落ちてしまうことはない。
このように、落下して受けられた果実４はポケット部Ｐに収まってすぐに移動が止まるので、他の果実に衝突して傷が付いてしまうことを防止できる。
【００２３】
なお、果実４を保持した後で果実落下防止装置Ａが風で揺れても、果実４はそれぞれポケット部Ｐで独立して保持され、しかも吊り下げられた果実４はおおむね同じ方向に揺れ動き、揺れ動く量も受けネット２によって引っ張られて制約されるので、衝突して互いに傷付くことを防止できる。
また、物入れ装置Ｎ１は、物品を吊り下げて保持し、物品を固定するのではなく揺れ動く状態で保持できるので緩衝効果があり、緩衝部材や特別な緩衝装置を設ける必要はない。従って、物入れ装置Ｎ１は、嵩張らず簡単な構造にすることが可能である。
【００２４】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００２５】
【発明の効果】
本発明は上記構成を備え、次の効果を有する。
果実落下防止装置は、台風の風の影響や果実が完熟したことにより果実が着果部から落下すると、果実はシート状物やネット状物を間に介在させて支持基体に当たり、支持基体の開口部以外の部分に誘導されて、何れかの開口部に落ちる。このとき、果実は、その重さによって開口部にシート状物やネット状物を押し込むようにして自身も落ちる。なお、果実は支持基体に当たらずに直接開口部に入ることもある。
これにより、果実は何れかの開口部の下方に形成されたポケット要素で吊り下げられた状態で収まって移動が止まるので、他の果実に衝突して傷が付いてしまうことを防止できる。
また、果実を保持した後で果実落下防止装置が風や衝撃で揺れても、果実はそれぞれ独立して保持されており、しかも吊り下げられた果実はおおむね同じ方向に揺れ動き、揺れ動く量もシート状物やネット状物によって引っ張られて制約されるので、衝突によって互いに傷付くことを防止できる。
【図面の簡単な説明】
【図１】  本発明に係る果実落下防止装置の実施の形態を示す斜視説明図。
【図２】  図１に示す果実落下防止装置を構成している支持基体と網状体の斜視説明図。
【図３】  図１に示す果実落下防止装置の網状体で形成されているポケット部に果実が収まっている状態を示す側面視説明図。
【符号の説明】
１  支持基体
１０  開口部
１１  紐
２  受けネット
２０  網目
２１  紐
Ｐ  ポケット部
３  支柱
４  果実
４ａ  物品
４ｂ  物品
５  包装容器
６  支持基体
６０  基板
６１  側壁部
６２  開口部
６ａ  支持基体
７  受けシート
８  クッション材
９  枠体
９１  収容棚
９ａ  枠体
Ａ  果実落下防止装置
Ｂ  包装用保持装置
Ｃ  運搬用保持装置
Ｄ  ディスプレイ用保持装置
Ｎ１、Ｎ２、Ｎ３  物入れ装置
Ｔ  果樹
【図１】
0003648501.tif 000002
【図２】
0003648501.tif 000003
【図３】
0003648501.tif 000004